(57)【要約】【課題】液収納容器２の口部３に装着して収納液を吐出するポンプであって、常時コンパクトな状態での保管，使用が可能であり、吐出液の吐出方向も常時安定し、また、流通時等に不用意な液の漏出を防止することができ、更に、構造も簡単な液体吐出ポンプを提案する。【解決手段】吸込み口４より吸込み弁５を介してポンプ室Ａに至る吸液路ａと、ポンプ室Ａより吐出弁６を介して吐出口７に至る吐液路ｂとを備え、また、ポンプ室Ａには外部からの押圧により室内を小容化させる弾性壁８を備えている。そして、この弾性壁８の押圧により液の吐出を行える如く構成した。【選択図】図１
2004210328.tif 000002
【特許請求の範囲】
【請求項１】
液収納容器２の口部３に装着して収納液を吐出するポンプであって、吸込み口４より吸込み弁５を介してポンプ室Ａに至る吸液路ａを備えるとともに、上記ポンプ室Ａより吐出弁６を介して吐出口７に至る吐液路ｂを備え、上記ポンプ室Ａは外部からの押圧により室内を小容化させる弾性壁８を備えるとともに、上記吸液路ａを遮断するロック機構を設けてなることを特徴とする液体吐出ポンプ。
【請求項２】
上記吸液路ａを形成する支持筒１１を上記口部３内に垂設して容器２に固定した装着部材９と、該装着部材９上に回動可能に嵌合させるとともに、上記支持筒１１と連通させた上記ポンプ室Ａを内部に画成し、且つ、上記ポンプ室Ａより吐出口７に至る上記吐液路ｂを備えてなるケーシング１０とを備え、ケーシング１０下面に敷設した基板２８に画成した吸込み弁板３０により上記吸込み弁５を形成するとともに、上記基板２８周縁部より延設した環状の吐出弁板３１縁部をケーシング周壁１９内面部に圧接して上記吐出弁６を形成してなる請求項１記載の液体吐出ポンプ。
【請求項３】
上記吸液路ａを形成する支持筒１１を上記口部３内に垂設して容器２に固定した装着部材９と、該装着部材９上に回動可能に嵌合させるとともに、上記支持筒１１と上記吸込み弁５を介して連通させた上記ポンプ室Ａを内部に画成し、且つ、ポンプ室Ａより上記吐出弁６を介して吐出口７に至る上記吐液路ｂを備えてなるケーシング１０とを備え、該ケーシング１０を装着部材９に対して回動させることにより上記吸液路ａが遮断されるロック機構を設けてなる請求項１記載の液体吐出ポンプ。
【発明の詳細な説明】
【０００１】
【発明の属する技術分野】
本発明は液体吐出ポンプに関する。
【０００２】
【従来の技術】
液体吐出ポンプとして、液収納容器の口部に装着して収納液を吐出するものが知られている（例えば、特許文献１参照）。
【０００３】
ここに示されているポンプディスペンサーは、容器本体に装着され容器本体内に吸込み口を介して連通可能なハウジングと、該ハウジングに往復動可能に挿入されてハウジング内に形成されるポンプ室を拡縮可能とするピストンと、ピストンの先端に装着されるノズルヘッドとを備え、ピストン及びノズルヘッドを上下動させることによりハウジング内の液を吐出口より吐出するとともに、容器本体内の液をハウジング内に吸引するものである。
【０００４】
【特許文献１】
特開平９−１２０５２号公報（第２−４頁，図１）
【０００５】
【発明が解決しようとする課題】
上記ポンプディスペンサーは簡単な操作により収納液を吐出することができ、しかも一回の吐出操作で略定量の液を吐出することができる便利なものであるが、ノズルヘッド及びピストンを上下動させるため、どうしてもその上方突出幅が大きくなり、また、吐出の際にノズルが上下動するためその吐出液の吐出方向が上下に不安定な嫌いがある。
【０００６】
本発明は上記した点に鑑みてなされたもので、常時コンパクトな状態での保管、使用が可能であり、吐出液の吐出方向も常時安定し、また、流通時等に不用意な液の漏出を防止することができ、更に、構造も簡単な液体吐出ポンプを提案するものである。
【０００７】
【課題を解決するための手段】
本請求項１発明の液体吐出ポンプは上記課題を解決するため、液収納容器２の口部３に装着して収納液を吐出するポンプであって、吸込み口４より吸込み弁５を介してポンプ室Ａに至る吸液路ａを備えるとともに、上記ポンプ室Ａより吐出弁６を介して吐出口７に至る吐液路ｂを備え、上記ポンプ室Ａは外部からの押圧により室内を小容化させる弾性壁８を備えるとともに、上記吸液路ａを遮断するロック機構を設けてなることを特徴とする液体吐出ポンプとして構成した。
【０００８】
また、請求項２発明の液体吐出ポンプは、上記吸液路ａを形成する支持筒１１を上記口部３内に垂設して容器２に固定した装着部材９と、該装着部材９上に回動可能に嵌合させるとともに、上記支持筒１１と連通させた上記ポンプ室Ａを内部に画成し、且つ、上記ポンプ室Ａより吐出口７に至る上記吐液路ｂを備えてなるケーシング１０とを備え、ケーシング１０下面に敷設した基板２８に画成した吸込み弁板３０により上記吸込み弁５を形成するとともに、上記基板２８周縁部より延設した環状の吐出弁板３１縁部をケーシング周壁１９内面部に圧接して上記吐出弁６を形成してなる請求項１記載の液体吐出ポンプとして構成した。
【０００９】
また、請求項３発明の液体吐出ポンプは、上記吸液路ａを形成する支持筒１１を上記口部３内に垂設して容器２に固定した装着部材９と、該装着部材９上に回動可能に嵌合させるとともに、上記支持筒１１と上記吸込み弁５を介して連通させた上記ポンプ室Ａを内部に画成し、且つ、ポンプ室Ａより上記吐出弁６を介して吐出口７に至る上記吐液路ｂを備えてなるケーシング１０とを備え、該ケーシング１０を装着部材９に対して回動させることにより上記吸液路ａが遮断されるロック機構を設けてなる請求項１記載の液体吐出ポンプとして構成した。
【００１０】
【発明の実施の形態】
以下、本発明の実施例の形態を図面を参照して説明する。
【００１１】
本発明の液体吐出ポンプ１は、液収納容器２の口部３に装着して収納液を吐出するものである。また、吸込み口４より吸込み弁５を介してポンプ室Ａに至る吸液路ａと、ポンプ室Ａより吐出弁６を介して吐出口７に至る吐液路ｂとを備えている。更に、ポンプ室Ａは室内を小容化させる弾性壁８を備えている。そして、この弾性壁８を圧することによりポンプ室Ａ内液を吐液路ｂを介して吐出し、弾性壁８の弾性復元により負圧化したポンプ室内に吸液路ａを介して容器内の液を吸引する如く構成している。
【００１２】
上記吸込み口４は、容器２内に開口するもので、容器の形態によりその下端まで垂下したパイプの下端部を吸込み口としても良く、或いはパイプがなく、容器内上部に開口した吸込み口とすることもできる。この場合には容器を、収納液の減少に伴って収縮する内層を備えた所謂デラミ容器とする必要がある。
【００１３】
図示例に於いて液体吐出ポンプ１は、装着部材９と、ケーシング１０とを備えている。
【００１４】
装着部材９は、上記吸液路ａを形成する支持筒１１を上記口部３内に垂設して容器２に固定したもので、図示例では、容器２の口部３に嵌合させた装着筒１２の上端より頂壁１３を延設するとともに、頂壁１３中央を貫通して上記支持筒１１を設けている。支持筒１１の下端部にはパイプ１４の上端を嵌着し、容器２内下端部に垂下させており、その下端開口を上記吸込み口４として構成している。また、支持筒１１内上部中央部には棒状部１５をフランジを介して支持しており、フランジには液流通用の透孔１６を穿設し、また、棒状部１５の側面上端部には縦溝１７を設けている。更に、頂壁１３の支持筒１１外方に第２支持筒１８を立設している。
【００１５】
ケーシング１０は、装着部材９上に回動可能に嵌合させるとともに、上記支持筒１１と連通させた上記ポンプ室Ａを内部に画成し、且つ、上記ポンプ室Ａより吐出口７に至る上記吐液路ｂを備えている。
【００１６】
図示例に於いてポンプ室Ａは底面中央部が隆起した形状をなし、その隆起部分周囲に環状空間を備えている。また、ケーシング１０は上記装着筒１２外周上端部に周壁１９の下端部内周を回動可能且つ抜け出しを防止して嵌合させ、また、周壁内面下部より底壁２０を延設するとともに、その中央部を円形に隆起した隆起部２０ａ  として構成している。また、周壁１９前部より前方へノズル２１を延設し、上記吐出弁６よりノズル２１内を通り、その先端の吐出口７に至る吐液路ｂを形成している。更に、装着部材９の上記第２支持筒１８内周に回動可能に嵌合させた摺動筒２２を底壁下面より垂設し、隆起部２０ａ  中央には支持筒１１内と連通する連通孔２３を穿設している。この連通孔２３の周縁部より垂設したシール筒２４を上記棒状部１５外周に摺動可能に嵌合させている。このシール筒２４の下端部所定位置には切欠部２５を設け、上記パイプ１４内から、透孔１６、切欠部２５、縦溝１７を通り、連通孔２３よりポンプ室Ａ内に連通する吸液路ａを構成している。
【００１７】
ケーシング１０の頂壁は上記弾性壁８で形成している。この弾性壁８はエラストマー等の弾力性に富んだ材質により別体に形成され、周縁部を上記周壁１９上端部に液密に嵌合している。
【００１８】
図示例に於いて、上記吐出弁６及び吸込み弁５を一つの弁部材２６を用いて形成している。該弁部材２６は、図２に示す如く、嵌合筒部２７を下面周縁部より垂設した基板２８の中央部に周方向複数の弾性片２９により支持された吸込み弁板３０を画成するとともに、基板２８の周縁部より外方へ下るテーパ状の吐出弁板３１を延設して構成している。そして、上記隆起部２０ａ  外周に嵌合筒部２７を嵌合させるとともに、吸込み弁板３０により吸液路ａの連通孔２３を開閉可能に閉塞して上記吸込み弁５を形成するとともに、上記吐出弁板３１縁部をケーシング周壁１９内面に圧接して上記吐出弁６を形成している。
【００１９】
また、本発明では、上記ケーシング１０を装着部材９に対して回動させることにより上記吸液路ａが遮断されるロック機構を設けても良い。
【００２０】
図示例に於いてロック機構は、上記切欠部２５の、上記縦溝１７に対する連通，非連通により構成されるもので、図１の状態では上記した如く液の通過が可能であり、また、この状態からケーシング１０を所定角度回動することにより、図３に示す如く、シール筒２４の切欠部２５の位置が棒状部１５の縦溝１７の位置からずれて、その結果、この部分で吸液路ａが遮断される如く構成している。
【００２１】
尚、この場合に、回動規制機構を並設すると良い。回動規制機構は、ケーシング１０を装着部材９に対して所定の角度だけ回動する如く規制するための構成であり、その結果、ケーシング１０を装着部材９に対して上記ロック機構の開状態から閉状態までの間の回動が可能に規制することができる。図４に示す如く、第２支持筒１８外面に突設した係止リブ３２と、上記隆起部２０ａ  の垂壁部分内面に所定間隔をあけて突設した一対の係合リブ３３とを設け、一方の係合リブ３３が係止リブ３２と当接する状態から、他方の係合リブ３３が係止リブ３２に当接する状態までの所定角度の回動が可能に構成しており、その際に、ロック機構が開状態から閉状態へ移行する如く構成している。また、この回動規制機構に合わせて、図５に示す如く、位置合わせ用の印３４ａ  ，３４ｂ  を設けても良い。
【００２２】
また、本実施例では、容器２内の液の減少に伴い容器内への外気の導入用の通気路を設けている。この通気路は図６に示す如く、上記ケーシング１０の周壁１９下端より底壁下面に至る凹溝３５と、上記第２支持筒１８に設けた透孔３６と、上記摺動筒２２に設けた切欠３７と、上記支持筒１１と第２支持筒１８間の装着部材頂壁１３に設けた透孔３８とで構成している。
【００２３】
上記の如く構成した液体吐出ポンプ１は、使用前の流通時等にはケーシング１０を回動させて図３の状態にしておけば弾性壁８を押圧しても液の吸い上げがなく、不用意な液の漏出を防止できる。また、使用時には図１の状態から弾性壁８を押圧すればポンプ室Ａ内の液が加圧されて吐出弁６を開き、ノズル２１を介して吐出口７より吐出される。また、押圧を解除すれば、吐出弁６が閉じ、ポンプ室Ａ内が負圧化して吸込み弁５が開き容器２内の液がポンプ室Ａ内へ吸い上げられる。また、容器２内の液の減少に伴って、上記通気路を通り、外気が容器２内に導入される。
【００２４】
図７は他の実施例を示すもので、基本的に図１の実施例と同様構成をなしているため、部分的な相違点を説明する。本実施例に於いて装着部材９は、容器２の口部３に嵌合させた装着筒１２の上端より頂壁１３を延設するとともに、頂壁１３中央に上端を開口した支持筒１１を垂設している。また、支持筒１１内中央部には上記棒状部１５を周方向複数の支持リブ３９により支持している。更に、支持筒１１外方の頂壁１３を下方へ凹ませた一対の円形の凹部４０，４１を凹設している。
【００２５】
ケーシング１０は上記各凹部４０，４１内に回動可能に嵌合させた一対の嵌合筒４２，４３を装着部材９の頂壁１３上に載置した底壁２０裏面より垂設し、また、上記シール筒２４を上記棒状部１５外周に摺動可能に嵌合させて装着部材９に回動可能に装着している。
【００２６】
また、上記吐出弁６及び吸込み弁５も同様に一つの弁部材２６を用いて形成している。本実施例の弁部材２６は、ケーシング底壁２０中央の連通孔２３周縁より上方へ立設した肉厚の筒部により隆起部２０ａ  を形成し、該隆起部２０ａ  外周に嵌合筒部２７を嵌合させて装着しており、その吸込み弁板３０は周縁一部を弾性ヒンジ４４により支持された板状をなしている。また、吐出弁板３１は、基板２８縁部より湾曲上昇し、その外周縁をケーシング周壁１９内面部に設けた環状の下向き段部４５下面に圧接している。
【００２７】
また、ロック機構は、図８に示す如く、両凹部４０，４１間の隔壁部分に円周方向所定幅の切欠部４６を設け、また、外側の嵌合筒４３の所定位置に設けた切欠４７内に内側の嵌合筒４２外面所定位置より突設した係止リブ４８を突設し、該リブが上記切欠部４６の一端部より他端部に回動する間の回動規制を行っている。
【００２８】
また、通気路は、装着部材の頂壁１３上面から凹部４１内面に至る凹溝４９と、外側の嵌合筒４３に設けた切欠５０と、各凹部４０，４１間の隔壁に設けた切欠５１と、内側の嵌合筒４２に設けた切欠５２と、内側の凹部４０下端に設けた透孔５３とで構成している。その他の構成は基本的に図１の実施例と同様であり、また、作用も基本的に同様であるため説明を省く。尚、上記各部材は特にとこわりの無い限り合成樹脂により形成すると良い。
【００２９】
【発明の効果】
以上説明した如く本発明の液体吐出ポンプは、既述構成としたことにより、常時コンパクトな状態での保管，使用が可能であり、また、吐出口が常時定位置にあるため吐出液の吐出方向も常時安定している。また、ロック機構により不用意な液の漏出を防止することができ、また、使用し始めたのちも、非使用時に液の不用意な漏出を防止することかできるものである。
【００３０】
また、請求項２発明の液体吐出ポンプでは、吸込み弁と吐出弁を一つの弁部材で形成できるため、組み付け操作等の製造上の利点が多く、安価に製造できる利点を兼ね備えている。
【００３１】
また、請求項３発明の液体吐出ポンプでは、簡単な操作により上記吸液路の開閉を行うロック機構を作動させることができる利点を兼ね備えている。
【図面の簡単な説明】
【図１】本発明の一実施例を示す縦断面図である。
【図２】同実施例の弁部材の拡大斜視図である。
【図３】同実施例の吸液路の遮蔽状態の縦断面図である。
【図４】同実施例の一部拡大断面図である。
【図５】同実施例の側面図である。
【図６】同実施例の一部拡大断面図である。
【図７】本発明の他の実施例を示す縦断面図である。
【図８】同実施例の要部拡大断面図である。
【符号の説明】
２…液収納容器，３…口部，４…吸込み口，５…吸込み弁，６…吐出弁，
７…吐出口，９…装着部材，１０…ケーシング，１１…支持筒，
１９…ケーシング周壁、２８…基板，３０…吸込み弁板，３１…吐出弁板，
Ａ…ポンプ室，ａ…吸液路，ｂ…吐液路
【図１】
2004210328.tif 000003
【図２】
2004210328.tif 000004
【図３】
2004210328.tif 000005
【図４】
2004210328.tif 000006
【図５】
2004210328.tif 000007
【図６】
2004210328.tif 000008
【図７】
2004210328.tif 000009
【図８】
2004210328.tif 000010